(57)【特許請求の範囲】
【請求項１】
画像表示部の表示面に表示された画像を当該表示面に対向配置される写真フィルムにプリント可能にする画像表示装置であって、所定の画像を表示する画像表示部と、この画像表示部の表示面に配設されたもので、複数の微小孔がマトリックス状に配列形成されてなる対向電極間に液晶が充填されると共に、前記対向電極間に供給される駆動電圧を異ならせて当該対向電極間の液晶分子の配向状態を制御することで前記画像表示部に表示される画像が視認できる状態の表示モード及び前記画像表示部に表示される画像が前記写真フィルム面に結像される状態の表示モードを取り得るように構成された液晶マイクロレンズアレイと、前記画像表示部に表示される画像が視認できる状態の表示モード及び前記画像表示部に表示される画像が前記写真フィルム面に結像される状態の表示モードの何れか１の表示モードに設定する切換設定手段と、この切換設定手段により設定された表示モードに応じて前記液晶マイクロレンズアレイの対向電極間に供給される駆動電圧を異ならせることで当該対向電極間の液晶分子の配向状態を制御する配向制御手段とを備えたことを特徴とする画像表示装置。
【請求項２】
前記画像が視認できる状態の表示モードは、前記画像表示部からの光が拡散されて液晶マイクロレンズアレイを透過する状態の表示モードと、前記画像表示部からの光が絞られて液晶マイクロレンズアレイを透過する状態の表示モードとを有し、前記配向制御手段は、前記光が拡散されて液晶マイクロレンズアレイを透過する状態の表示モードに設定された場合に前記駆動電圧をゼロにし、前記光が絞られて液晶マイクロレンズアレイを透過する状態の表示モードに設定された場合に前記駆動電圧を所定の値にし、前記画像が前記写真フィルム面に結像される状態の表示モードに設定された場合に前記駆動電圧を前記所定の値よりも高い値にするものであることを特徴とする請求項１記載の画像表示装置。
【請求項３】
前記画像表示部は、対向配置された基板間に液晶が充填され、複数の画素がマトリックス状に配列形成されてなる液晶パネルと、この液晶パネルの背面に配設されたバックライトとを備えたものであることを特徴とする請求項１又は２記載の画像表示装置。
【請求項４】
前記液晶マイクロレンズアレイは、前記各微小孔の位置に形成されるレンズ部が前記液晶パネルの各画素に対応して配列形成されたものであり、当該液晶パネルに対し各レンズ部と各画素とが互いに対向するように配設されていることを特徴とする請求項３記載の画像表示装置。
【請求項５】
前記各画素はＲＧＢの３色のフィルタ層を備えており、前記各レンズ部は前記３色のフィルタ層に対向するように配列形成されたものであることを特徴とする請求項４記載の画像表示装置。
【請求項６】
前記各画素はＲＧＢの３色のフィルタ層を備えており、前記各レンズ部は前記３色のフィルタ層のそれぞれに個別に対向するように配列形成されたものであることを特徴とする請求項４記載の画像表示装置。
【請求項７】
一面開口状のケース内に写真フィルムが収納されてなるカメラアダプタが前記画像表示部に装着されたことを検出する検出手段を備え、前記配向制御手段は、前記検出手段から検出信号が出力されたときに前記画像表示部に表示される画像を前記写真フィルム面に結像させる値の駆動電圧を前記液晶マイクロレンズアレイに供給するものであることを特徴とする請求項１乃至６のいずれかに記載の画像表示装置。
【請求項８】
画像表示部の表示面に表示された画像を当該表示面に対向配置される写真フィルムにプリントする画像プリント装置であって、請求項１乃至７のいずれかに記載の画像表示装置と、一面開口状のケース内に写真フィルムが収納され、当該写真フィルムが前記画像表示部の表示面に対向するように当該画像表示部に装着されるカメラアダプタとを備えたことを特徴とする画像プリント装置。
【発明の詳細な説明】
【０００１】
【発明の属する技術分野】
本発明は、画像表示部の表示面に表示された画像を写真フィルムに直接プリントすることが可能な画像表示装置及びその画像表示装置を用いた画像プリント装置に関する。
【０００２】
【従来の技術】
近年、画像表示部の表示面に光学手段を介在させて写真フィルムを配設し、画像表示部の表示面に表示された画像を写真フィルムに結像させて直接露光させるようにするコピー装置や画像記録装置が提案されている（特開平１−２０１６４０号公報、特開平７−２３４４５３号公報）。このようなコピー装置や画像記録装置では、画像表示部の表示面に表示される画像が光学手段により写真フィルム面に結像されるので画像をプリンタヘッド等を介さずに直接写真フィルムに露光させることができることから十分ではないとしてもコピー装置や画像記録装置の小型化が図れるという利点がある。ところが、画像表示部の表示面に表示された画像を直接視認することができないことから利便性に欠けるという難点があった。
【０００３】
一方、撮影中の画像や再生画像等を表示する画像表示部の表示面にマイクロレンズシートを介在させて写真フィルムを配設し、画像表示部の表示面に表示される画像を写真フィルムに露光させるようにするビデオレコーダが提案されている（特開２０００−１６２４０７号公報）。この場合、写真フィルムはその複数枚が開口面の形成されたカメラアダプタを構成するケース内に重ねて収納され、マイクロレンズシートはそのケースの開口面に取り付けられた構成となっている。このようなビデオレコーダでは、カメラアダプタを画像表示部に装着することで表示面に表示される画像がマイクロレンズシートにより写真フィルム面に結像されることからプリンタヘッド等を介さずに直接露光させることができ、カメラアダプタを画像表示部に装着しないようにすることで画像表示部の表示面に表示された画像を直接視認することができるという利点がある。
【０００４】
【発明が解決しようとする課題】
しかしながら、上記従来のビデオレコーダでは、画像表示部の表示面に表示される画像を写真フィルム面に結像させるためのマイクロレンズシートがカメラアダプタを構成するケースの開口面に取り付けられるものであるため、カメラアダプタの高価格化が避けられないだけでなく、写真フィルムの使用し終わったカメラアダプタはマイクロレンズシートが付着したまま廃棄されることになる結果、省資源化を損なうことになるという問題があった。
【０００５】
本発明は、このような事情に鑑みてなされたもので、写真フィルムが収納されるカメラアダプタの低価格化及び省資源化を促進することができる画像表示装置及びその画像表示装置を用いた画像プリント装置を提供することを目的とする。
【０００６】
【課題を解決するための手段】
上記目的を達成するため、請求項１の発明は、画像表示部の表示面に表示された画像を当該表示面に対向配置される写真フィルムにプリント可能にする画像表示装置であって、所定の画像を表示する画像表示部と、この画像表示部の表示面に配設されたもので、複数の微小孔がマトリックス状に配列形成されてなる対向電極間に液晶が充填されると共に、前記対向電極間に供給される駆動電圧を異ならせて当該対向電極間の液晶分子の配向状態を制御することで前記画像表示部に表示される画像が視認できる状態の表示モード及び前記画像表示部に表示される画像が前記写真フィルム面に結像される状態の表示モードを取り得るように構成された液晶マイクロレンズアレイと、前記画像表示部に表示される画像が視認できる状態の表示モード及び前記画像表示部に表示される画像が前記写真フィルム面に結像される状態の表示モードの何れか１の表示モードに設定する切換設定手段と、この切換設定手段により設定された表示モードに応じて前記液晶マイクロレンズアレイの対向電極間に供給される駆動電圧を異ならせることで当該対向電極間の液晶分子の配向状態を制御する配向制御手段とを備えたことを特徴としている。
【０００７】
この構成によれば、画像表示部に表示される画像が視認できる状態の表示モード及び画像表示部に表示される画像が写真フィルム面に結像される状態の表示モードの何れか１の表示モードに設定されると、この設定された表示モードに応じて液晶マイクロレンズアレイの対向電極間に異なる値の駆動電圧が供給される。このため、画像表示部に表示される画像を液晶マイクロレンズアレイを介して直接視認したり、写真フィルムに直接プリントしたりする等の使い分けが可能となる。
【０００８】
このように、画像表示部の表示面に液晶マイクロレンズアレイを配設しておくことで、画像表示部に表示される画像を従来どおり視認することができるだけでなく、写真フィルムが収納されるカメラアダプタにマイクロレンズシートを取り付けておく必要がなくなる結果、カメラアダプタの低価格化及び省資源化が促進される。
【０００９】
また、請求項２の発明は、請求項１に係るものにおいて、前記画像が視認できる状態の表示モードが、前記画像表示部からの光が拡散されて液晶マイクロレンズアレイを透過する状態の表示モードと、前記画像表示部からの光が絞られて液晶マイクロレンズアレイを透過する状態の表示モードとを有し、前記配向制御手段が、前記光が拡散されて液晶マイクロレンズアレイを透過する状態の表示モードに設定された場合に前記駆動電圧をゼロにし、前記光が絞られて液晶マイクロレンズアレイを透過する状態の表示モードに設定された場合に前記駆動電圧を所定の値にし、前記画像が前記写真フィルム面に結像される状態の表示モードに設定された場合に前記駆動電圧を前記所定の値よりも高い値にするものであることを特徴としている。
【００１０】
この構成によれば、画像表示部からの光が拡散されて液晶マイクロレンズアレイを透過する状態の表示モードに設定された場合に液晶マイクロレンズアレイの対向電極間に駆動電圧が供給されないようになる結果、微小孔の位置に形成されるレンズ部には凸レンズ効果が生じないようになり、微小孔を介して画像表示部に表示される画像を液晶マイクロレンズアレイが配設されていない場合と同様に視認することができる。
【００１１】
また、画像表示部からの光が絞られて液晶マイクロレンズアレイを透過する状態の表示モードに設定された場合に液晶マイクロレンズアレイの対向電極間に所定の値の駆動電圧が供給される結果、画像光の拡散が抑制されて輝度が高められ、明るい環境下にあっても画像表示部に表示された画像を確実に視認することができる。
【００１２】
さらに、画像表示部に表示される画像が写真フィルム面に結像される状態の表示モードに設定された場合に液晶マイクロレンズアレイの対向電極間に上記所定の値よりも高い値の駆動電圧が供給される結果、画像表示部に表示される画像が写真フィルム面に結像されて写真フィルムに直接プリントすることができる。
【００１３】
また、請求項３の発明は、請求項１又は２に係るものにおいて、前記画像表示部が、対向配置された基板間に液晶が充填され、複数の画素がマトリックス状に配列形成されてなる液晶パネルと、この液晶パネルの背面に配設されたバックライトとを備えたものであることを特徴としている。
【００１４】
この構成によれば、液晶パネルの各画素における液晶分子の配向状態が制御されることでバックライトの光が透過したり遮断されたりする。このため、光が透過される画素と光が遮断される画素との組み合わせに応じて画像が形成される。
【００１５】
また、請求項４の発明は、請求項３に係るものにおいて、前記液晶マイクロレンズアレイが、前記各微小孔の位置に形成されるレンズ部を前記液晶パネルの各画素に対応して配列形成したものであり、当該液晶パネルに対し各レンズ部と各画素とが互いに対向するように配設されていることを特徴としている。
【００１６】
この構成によれば、液晶パネルの各画素と液晶マイクロレンズアレイの各レンズ部とが１対１で対応しているため、各画素における透過光がレンズ部を介して確実に外部に出力される。このため、表示面に表示される画像の解像度が高められる。
【００１７】
また、請求項５の発明は、請求項４に係るものにおいて、前記各画素がＲＧＢの３色のフィルタ層を備えており、前記各レンズ部が前記３色のフィルタ層に対向するように配列形成されたものであることを特徴としている。
【００１８】
この構成によれば、液晶パネルの各画素と液晶マイクロレンズアレイの各レンズ部とが対応しているため、各画素における３色のフィルタ層の透過光がレンズ部を介して確実に外部に出力される。このため、表示面に鮮明なカラー画像が表示される。
【００１９】
また、請求項６の発明は、請求項４に係るものにおいて、前記各画素がＲＧＢの３色のフィルタ層を備えており、前記各レンズ部が前記３色のフィルタ層のそれぞれに個別に対向するように配列形成されたものであることを特徴としている。
【００２０】
この構成によれば、液晶パネルの各画素における３色のフィルタ層のそれぞれに液晶マイクロレンズアレイのレンズ部が対応しているため、各画素における３色のフィルタ層の透過光が各レンズ部を介して確実に外部に出力される。このため、表示面に鮮明なカラー画像が表示される。
【００２１】
また、請求項７の発明は、請求項１乃至６のいずれかに係るものにおいて、一面開口状のケース内に写真フィルムが収納されてなるカメラアダプタが前記画像表示部に装着されたことを検出する検出手段を備え、前記配向制御手段は、前記検出手段から検出信号が出力されたときに前記画像表示部に表示される画像を前記写真フイルム面に結像させる値の駆動電圧を前記液晶マイクロレンズアレイに供給するものであることを特徴としている。
【００２２】
この構成によれば、ケース内に写真フィルムが収納されてなるカメラアダプタが画像表示部に装着されたとき、画像表示部に表示される画像が写真フイルム面に結像される値の駆動電圧が液晶マイクロレンズアレイに自動的に供給される。このため、画像表示部に表示される画像を容易に写真フィルムにプリントすることができる。
【００２３】
また、請求項８の発明は、画像表示部の表示面に表示された画像を当該表示面に対向配置される写真フィルムにプリントする画像プリント装置であって、請求項１乃至７のいずれかに記載の画像表示装置と、一面開口状のケース内に写真フィルムが収納され、当該写真フィルムが前記画像表示部の表示面に対向するように当該画像表示部に装着されるカメラアダプタとを備えたことを特徴としている。
【００２４】
この構成によれば、液晶マイクロレンズアレイの対向電極間に駆動電圧が供給されることで液晶分子の配向状態が制御され、微小孔の位置に形成されるレンズ部に駆動電圧の値に応じて結像位置が可変される凸レンズ効果が生じる。このため、画像表示部の表示面に表示される画像が当該表示面に対向配置される写真フィルム面に結像されるような値の駆動電圧が供給されることで、画像表示部に表示される画像を写真フィルムに直接プリントすることができる。
【００２５】
【発明の実施の形態】
図１は、本発明の一実施形態に係る画像表示装置が適用される画像プリント装置の外観斜視図である。この図において、画像プリント装置１０は、本発明の一実施形態に係る画像表示装置を含む携帯機器であるデジタルカメラ１２と、複数枚の写真フィルム（銀塩フィルム）が互いに重ねられた状態でケース内に収納されてなるカメラアダプタ１４とを備えている。
【００２６】
デジタルカメラ１２は、カメラ本体１６と、カメラ本体１６の前面に配設された撮影レンズ１８とを備えている。カメラ本体１６は、上部中央近傍に配設された電子ビューファインダ２０と、上部右端に配設されたレリーズボタン２２と、上面に配設された操作パネル２４と、背面に配設された選択/プリント指示スイッチ（ボタン）２６と、背面に配設された液晶表示部２８とを備えている。
【００２７】
撮影レンズ１８は、被写体像を内部に配設されている固体撮像素子の撮像面に結像させるためのものであり、フォーカス用レンズとズーム用レンズとを備え、内部に透過光量を調節するための絞りが設けられている。電子ビューファインダ２０は、固体撮像素子の撮像面における被写体の写し込まれる範囲を視認するためのものであり、被写体のモニタ画像を表示するカラー液晶表示デバイス、このカラー液晶表示デバイスに表示されたモニタ画像をファインダ窓に導く接眼レンズ等を備えている。レリーズボタン２２は、半押し状態で露出制御値の設定や焦点検出等を行うと共に、全押し状態で撮影動作を実行するものである。操作パネル２４は、露出補正等の種々の撮影条件を設定するためのものである。
【００２８】
選択/プリント指示スイッチ２６は、液晶表示部２８に撮影画像を表示する場合に複数の表示モードのうちの１の表示モードを選択すると共に、液晶表示部２８に表示される画像を写真フィルムに露光させる指示を行うものである。すなわち、本実施形態では、通常の輝度で画像が表示される通常表示モード、明るい場所での表示に適した第１の駆動モードである高輝度表示モード、及び、液晶表示部２８に表示される撮影画像を写真フィルムに露光させるプリント表示モードの３つの表示モードのうちの１の表示モードが設定可能となっており、プリント表示モードを選択した後に同じ操作を繰り返すことでプリント指示が行われるようになっている。なお、表示モードの選択とプリント指示とをそれぞれ別のスイッチ（ボタン）で行うようにしてもよい。
【００２９】
液晶表示部２８は、被写体の撮影時や撮影した被写体像の再生時等に被写体像を表示したり、撮影条件や撮影モード等を設定するためのメニュー画面を表示したりするものであり、中央位置に配設された液晶パネル３０と、カメラアダプタ１４を液晶パネル３０に密着させて取り付けるための取着部３２と、液晶パネル３０の周辺に形成された窪み内に配設され、カメラアダプタ１４の取着の有無を検出する検出スイッチ３４とを備えている。なお、取着部３２は、例えば、液晶パネル３０周辺の表面近傍に埋設された永久磁石により構成することができる。
【００３０】
液晶パネル３０は、その主要部の分解斜視図である図２に示すように、透過型のカラー液晶ディスプレイ３６と、このカラー液晶ディスプレイ３６に密着固定して配設された液晶マイクロレンズアレイ３８とで構成されている。このカラー液晶ディスプレイ３６は、例えば、対向配置された透明の第１のガラス基板４０及び第２のガラス基板４２間にネマティック液晶４４をその液晶分子が９０°ねじれるようにして充填すると共に、第１のガラス基板４０の外側に水平方向の振動成分の光を透過させる第１の偏光板４６を配設し、第２のガラス基板４２の外側に垂直方向の振動成分の光を透過させる第２の偏光板４８を配設したツイステッド・ネマチック液晶型のものである。
【００３１】
また、このカラー液晶ディスプレイ３６は、第１のガラス基板４０の内面側に所定方向（例えば、垂直方向）に伸びるライン状の多数本の透明な第１の電極５０が所定ピッチで配設されると共に、第２のガラス板４２の内面側に第１の電極５０と直交する方向（例えば、水平方向）に伸びるライン状の多数本の透明な第２の電極５２が所定ピッチで配設されている。この第１の電極５０は、例えば図３に示すように、第１のガラス基板４０にＲＧＢの３色のフィルタ層５４，５６，５８が並列状態で配設されており、これら３色のフィルタ層５４，５６，５８に対向する位置にオーバーコート層６０を介して配設されている。これら３色のフィルタ層５４，５６，５８に対向する位置の３本の第１の電極５０と、第２のガラス板４２に配設されている第２の電極５２との３つの交点で１つの画素が構成される。また、このカラー液晶ディスプレイ３６は、第１の偏光板４６の外側にバックライト６２（図２）を備えている。
【００３２】
このような構成のカラー液晶ディスプレイ３６では、第１の電極５０と第２の電極５２との間に電圧が印加されていない状態で、第１の偏光板４６側からバックライト６２の光が照射されると、その光はその水平方向の振動成分だけが第１の偏光板４６と３色のフィルタ層５４，５６，５８とを透過して液晶４４内に侵入する。この液晶４４内に侵入した光は、液晶分子が９０°ねじれているため、その振動方向も９０°ねじれた垂直方向の振動成分となって第２の偏光板４８に達することになり、第２の偏光板４８を透過して外方に出力されることになる。
【００３３】
一方、第１の電極５０と第２の電極５２との間に規定の電圧が印加された状態では、液晶分子の配向が電流の流れに沿って真っ直ぐ立つように変化することになるため、液晶４４内に侵入した光の振動方向が変化しないで水平方向のまま第２の偏光板４８に達することになり、第２の偏光板４８に遮られて外方に出力されないことになる。但し、この液晶分子の配向状態は印加される電圧レベルに対応して制御されるため、３色のフィルタ層５４，５６，５８に対応する第１の電極５０と第２の電極５２との間に印加される電圧レベルを調整することで３色のフィルタ層５４，５６，５８における光の透過率が制御され、外方に出力される光の色彩が制御される。
【００３４】
液晶マイクロレンズアレイ３８は、内面側（図示では上面側）に多数の微小孔６４がマトリックス状に配列形成された非透明の第１の電極６６が付与されてなる第１のガラス基板６８と、内面側（図示では下面側）に多数の微小孔７０がマトリックス状に配列形成された非透明の第２の電極７２が付与されてなる第２のガラス基板７４とを各微小孔６４，７０が互いに向き合うようにして対向配置させ、この対向配置させた第１，第２のガラス基板６８，７４間にネマチック液晶７６を充填して構成したものである。これら各微小孔６４，７０は、例えば直径が数１０乃至数１００μｍの大きさを有しており、図４に示すように、カラー液晶ディスプレイ３６の１つの画素を構成するＲＧＢの３色のフィルタ層５４，５６，５８に対向する位置に形成されたものである。なお、図４では、第２の偏光板４８の図示を省略している。
【００３５】
このように構成された液晶マイクロレンズアレイ３８では、第１，第２の電極６６，７２間に電圧（駆動電圧）が印加されていない状態では、図５（ａ）に示すように、各液晶分子が同一方向に並んだ配向状態となっているため、微小孔６４，７０部分に形成されるレンズ部（光透過部）７８には何らの凸レンズ効果も生じない。ところが、第１，第２の電極６６，７２間に規定の電圧（駆動電圧）が印加された状態では、図５（ｂ）に示すように、微小孔６４，７０部分に形成されるレンズ部７８の中心を通る光軸Ｌに略対称な不均一電界が形成され、液晶分子がその不均一電界に沿った配向状態となる結果、屈折率分布が生じて各微小孔６４，７０部分に形成されるレンズ部７８に凸レンズ効果が生じる。
【００３６】
このレンズ部７８に生じる凸レンズ効果は、第１，第２の電極６６，７２間に印加される電圧レベルに対応して変化することから、印加電圧を制御することでレンズ部７８を透過した光の結像位置を制御することができる一方、レンズ部７８を透過した光を光軸Ｌの近傍に集中した平行な状態とすることができる。
【００３７】
すなわち、第１，第２の電極６６，７２間に電圧が印加されていない状態では、各レンズ部７８で光が屈折しないで透過することになるが、第１，第２の電極６６，７２間に電圧が印加された状態では、各レンズ部７８で光が屈折されることからマイクロレンズが構成される。つまり、第１，第２の電極６６，７２間に電圧が印加されていない状態では、図６（ａ）に示すように、各レンズ部７８で光が拡散されて透過することになり、マイクロレンズが存在しない場合と同様の通常表示モード（非駆動モード）となる。この状態では、ＲＧＢの各フィルタ層からの光が拡散されるため、液晶パネル３０の斜めからでも表示画像が視認できることになる。
【００３８】
また、第１，第２の電極６６，７２間に所定の低い電圧（第１の駆動電圧）が印加された状態では、図６（ｂ）に示すように、ＲＧＢの各フィルタ層からの拡散した光が凸レンズ効果により絞られた状態となり、光が光軸Ｌの近傍に集中した状態の高輝度表示モード（第１の駆動モード）となる。この状態では、液晶パネル３０の斜めからでは表示画像が視認し難くなるが、液晶パネル３０の正面から見る場合では明るい場所でも表示画像の視認が容易となる。また、第１，第２の電極６６，７２間に高い電圧（数ボルト程度のレベルである第２の駆動電圧）が印加された状態では、図６（ｃ）に示すように、ＲＧＢの各フィルタ層からの拡散した光が凸レンズ効果により絞られて写真フィルム面に結像した状態となり、写真フィルムへの露光が可能なプリント表示モード（第２の駆動モード）となる。このプリント表示モードでは、液晶パネル３０に表示される画像は写真フィルムに露光するため反転された状態とされる。なお、この場合、写真フィルム側には後述するように拡散板が配設される。
【００３９】
カメラアダプタ１４は、合成樹脂等の絶縁材料で形成された前面開口状のケース８０を備えており、前面周縁部に液晶表示部２８の取着部３２に係合させる複数の被取着部８２と、液晶表示部２８の検知スイッチ３４を押圧する押圧突起８４とを備えている。この被取着部８２は、液晶表示部２８の取着部３２に対向する位置に形成されており、取着部３２が永久磁石で構成される場合に例えば鉄板小片で構成され、これらの鉄板小片が取着部３２に磁気吸着されるようになっている。これら取着部３２及び被取着部８２は、凹凸部等が互いに機械的に係合されるように構成されたものであってもよい。また、押圧突起８４は、液晶表示部２８の検出スイッチ３４に対向する位置に設けられており、ケース本体８０が液晶表示部２８に取着されたとき、検出スイッチ３４を押圧することでケース本体８０の取着が検出されるようになっている。
【００４０】
すなわち、このカメラアダプタ１４は、図１のＡ−Ａ線断面である図７に示すように、ケース８０の内底面側に複数のスプリング８６を介して押さえ板８８が配設されると共に、この押さえ板８８に接した状態で複数枚の写真フィルム（例えば、現像手段を有するインスタントフィルム）９０が積層された状態で収納されており、ケース８０の開口面に拡散板（拡散シート）９２が配設されている。この拡散板９２は、カラー液晶ディスプレイ３６の表示面から出力されるＲＧＢの３色の光を写真フィルム９０面において効果的に混合するためのものである。なお、拡散板９２の前面には写真フィルム９０への露光時に取り外す遮光板が必要に応じて配設されているが、図示を省略している。
【００４１】
図８は、デジタルカメラ１２の制御構成を説明するためのブロック図である。すなわち、カメラ本体１６の内部には、固体撮像素子であるＣＣＤ（Charge Coupled Device）９４と、ＣＣＤ駆動処理部９６と、第１メモリ９８と、画像処理部１００と、第２メモリ１０２と、本体制御部１０４とを備えている。なお、カメラ本体１６には、撮影した被写体像を記録して保存する記録媒体１０６が着脱自在に装着されるようになっている。
【００４２】
ＣＣＤ９４は、複数の光電変換素子がマトリックス状に配設されて構成されたエリアセンサからなるものであり、撮影レンズ１８に対向する位置に配設されると共に、撮影レンズ１８を透過した被写体光を受けて画像信号を生成する。ＣＣＤ駆動処理部９６は、タイミングジェネレータ１０８、相関二重サンプリングを行うＣＤＳ１１０、及び、アナログ信号をデジタル信号に変換するＡ/Ｄ変換部１１２を備えており、タイミングジェネレータ１０８から供給されたパルス信号によりＣＣＤ９４を駆動すると共に、ＣＣＤ９４から読み出した画像信号をＣＤＳ１１０により相関二重サンプリングし、Ａ/Ｄ変換部１１２にてデジタル信号に変換する。このＡ/Ｄ変換部１１２でデジタル信号に変換された画像信号はＦＩＦＯメモリ等からなる第１メモリ９８に格納される。
【００４３】
画像処理部１００は、ホワイトバランス処理部１１４、画素補間処理部１１６、ガンマ変換処理部１１８、色差マトリックス処理部１２０、画像圧縮処理部１２２、及び、画像伸張処理部１２４を備えており、第１メモリ９８から読み出した画像信号に対しＲ，Ｇ，Ｂ毎にホワイトバランス処理部１１４によりホワイトバランス処理を行い、その後に画素補間処理部１１６で画素補間処理を行うと共に、ガンマ変換処理部１１８でガンマ変換処理を行う。このような各種の画像処理の施された画像信号は、一旦フレームメモリ等からなる第２メモリ１０２に格納される。そして、第２メモリ１０２に格納された画像信号は、読み出されて色差マトリックス処理部１２０で輝度・色差信号に変換され、画像圧縮処理部１２２で圧縮処理が行われ、画像ファイルとして記録媒体１０６に記録される。また、記録媒体１０６に記録された画像信号は、読み出されて画像伸張処理部１２４で伸張され、カラー液晶ディスプレイ３６に表示される。
【００４４】
本体制御部１０４は、全体の動作を制御するものであり、演算処理を実行するＣＰＵ、処理プログラムやデータを記憶するＲＯＭ、及び、データを一時的に記憶するＲＡＭを備えている。この本体制御部１０４には、ＣＣＤ駆動処理部９６、第１メモリ９８、画像処理部１００、第２メモリ１０２及び記録媒体１０６が図略のインターフェイス回路を介して接続されている。また、本体制御部１０４には、撮影レンズ１８を前後方向に駆動して焦点調節を行ったり、ズーミングを行ったりするレンズ駆動部１２６が接続されると共に、操作パネル２４、選択/プリント指示スイッチ２６、検出スイッチ３４、カラー液晶ディスプレイ３６及び液晶マイクロレンズアレイ３８が図略のインターフェイス回路を介して接続されている。
【００４５】
また、この本体制御部１０４には、モード判別部１２８、装着判別部１３０、プリント判別部１３２、レンズアレイ制御部１３４、反転画像表示制御部１３６及び時間経過判別部１３８としての各機能実現部を備えている。このモード判別部１２８は、通常表示モード、高輝度表示モード及びプリント表示モードのうちの何れのモードが選択されたかを選択/プリント指示スイッチ２６からの選択信号により判別するものである。装着判別部１３０は、カメラアダプタ１４が液晶表示部２８に装着されたか否かを検出スイッチ３４からの検出信号により判別するものである。プリント判別部１３２は、カラー液晶ディスプレイ３６に表示されている画像をカメラアダプタ１４に収納されている写真フィルムに露光させる指示が行われたか否かを選択/プリント指示スイッチ２６からの指示信号により判別するものである。
【００４６】
また、レンズアレイ制御部１３４は、液晶マイクロレンズアレイ３８の第１，第２の電極６６，７２間に異なる値の駆動電圧を供給して第１，第２の電極６６，７２間の液晶分子の配向状態を制御し、これにより液晶マイクロレンズアレイ３８の駆動状態を制御するものである。すなわち、選択/プリント指示スイッチ２６により通常表示モードが選択されたときには液晶マイクロレンズアレイ３８に電圧は印加されず、高輝度表示モードが選択されたときには予め設定した低い電圧が印加され、プリント表示モードが選択されたときには予め設定した高い電圧が印加される。反転画像表示制御部１３６は、カラー液晶ディスプレイ３６に表示される画像を写真フィルムに露光させるために反転表示させるものである。時間経過判別部１３８は、所定の露光時間が経過したか否かをタイマーにより判別するものである。
【００４７】
図９は、カメラアダプタ１４が液晶表示部２８に装着されたときの写真フィルムに対するプリント動作を説明するためのフローチャートである。最初に、プリント表示モードが選択されたか否かがモード判別部１２８により判別される（ステップ＃１）。このステップ＃１での判別が肯定されると、カメラアダプタ１４が液晶表示部２８に装着されたか否かが装着判別部１３０により判別される（ステップ＃３）。このステップ＃３での判別が肯定されると、プリント指示が実行されたか否かがプリント判別部１３２により判別される（ステップ＃５）。
【００４８】
ステップ＃５での判別が肯定されると、レンズアレイ制御部１３４により液晶マイクロレンズアレイ３８に高い電圧が印加されて液晶マイクロレンズアレイ３８はプリント表示モードで駆動され（ステップ＃７）、引き続いてカラー液晶ディスプレイ３６に表示される画像の反転表示動作が反転画像表示制御部１３６により開始される（ステップ＃９）。この反転表示動作が開始されることによりカメラアダプタ１４に収納されている写真フィルム９０に対する露光が開始される。次いで、予め設定された所定時間が経過したか否かが時間経過判別部１３８により判別される（ステップ＃１１）。
【００４９】
このステップ＃１１での判別が肯定されると、カラー液晶ディスプレイ３６に表示されている画像の反転表示動作が反転画像表示制御部１３６により終了される（ステップ＃１３）。この画像の反転表示動作の終了により写真フィルム９０に対する露光が終了する。なお、ステップ＃１，＃３、＃５及び＃１１での判別が否定されると、それぞれ判別が肯定されるまで待機する。
【００５０】
本発明の画像表示装置及び画像プリント装置は、上記実施形態のように、所定の画像を表示するカラー液晶ディスプレイ３６と、このカラー液晶ディスプレイ３６の表示面に配設されたもので、複数の微小孔６４，７０がマトリックス状に配列形成されてなる第１，第２の電極６６，７２間に液晶７６が充填されると共に、第１，第２の電極６６，７２間に供給される駆動電圧を異ならせて当該電極６６，７２間の液晶分子の配向状態を制御することで画像表示部に表示される画像が視認できる状態の表示モード及び画像表示部に表示される画像が写真フィルム面に結像される状態の表示モードを取り得るように構成された液晶マイクロレンズアレイ３８と、カラー液晶ディスプレイ３６に表示される画像が視認できる状態の表示モード及びカラー液晶ディスプレイ３６に表示される画像が写真フィルム面に結像される状態の表示モードの何れか１の表示モードに設定する選択/プリント指示スイッチ２６と、この選択/プリント指示スイッチ２６により設定された表示モードに応じて液晶マイクロレンズアレイ３８の第１，第２の電極６６，７２間に供給される駆動電圧を異ならせることで第１，第２の電極６６，７２間の液晶分子の配向状態を制御するレンズアレイ制御部１３４とを備えたものである。
【００５１】
このように、本発明では、カラー液晶ディスプレイ３６の表示面に、第１，第２の電極６６，７２間に供給される駆動電圧を異ならせて当該電極６６，７２間の液晶分子の配向状態を制御することでカラー液晶ディスプレイ３６に表示される画像が視認できる状態の表示モード及び画像表示部に表示される画像が写真フィルム面に結像される状態の表示モードを取り得るように構成された液晶マイクロレンズアレイ３８が配設されている。このため、画像表示部に表示される画像が視認できる状態の表示モードに設定されると、画像表示部に表示される画像を液晶マイクロレンズアレイを介して直接視認することができると共に、画像表示部に表示される画像が写真フィルム面に結像される状態の表示モードに設定されると、画像表示部に表示される画像を写真フィルムに直接プリントすることができる結果、写真フィルム９０が収納されるカメラアダプタ１４に従来のようなマイクロレンズシートを設けておく必要がないことからカメラアダプタ１４の低価格化及び省資源化を効果的に促進することができる。
【００５２】
なお、本発明は、上記実施形態のものに限定されるものではなく、以下に述べるような種々の変形態様を採用することができる。
【００５３】
（１）上記実施形態では、液晶マイクロレンズアレイ３８の第１，第２の電極微６６，７２の微小孔６４，７０の位置に形成される各レンズ部７８は、カラー液晶ディスプレイ３６の各画素を構成するＲＧＢの３色のフィルタ層５４，５６，５８に対向するように形成されたものであるが、これに限るものではない。例えば、図１０に示すように、微小孔６４，７０の位置に形成される各レンズ部７８をＲＧＢの３色のフィルタ層５４，５６，５８のそれぞれに個別に対向するように形成することもできる。要は、カラー液晶ディスプレイ３６の各画素と、液晶マイクロレンズアレイ３８の各レンズ部７８とが互いに対応するようになっておればよい。なお、図１０では、第２の偏光板４８の図示を省略している。
【００５４】
（２）上記実施形態では、カラー液晶ディスプレイ３６の各画素と、液晶マイクロレンズアレイ３８の第１，第２の電極６６，７２の微小孔６４，７０の位置に形成される各レンズ部７８とが互いに対向するようになっているが、これに限るものではない。すなわち、カラー液晶ディスプレイ３６の各画素と、液晶マイクロレンズアレイ３８の各レンズ部７８とが互いに対向するようにするには、画素とレンズ部とをそれぞれ同一のピッチでマトリックス状に配列形成する必要があるが、レンズ部を画素よりも小さいピッチで配列形成したり、大きいピッチで配列形成したりしてもよい。
【００５５】
こうした場合、カラー液晶ディスプレイ３６の各画素と、液晶マイクロレンズアレイ３８の各レンズ部７８とが１対１で対向しないようになる結果、有効画素数が実質的に減少することになって解像度が低下することになるが、カラー液晶ディスプレイ３６の各画素を予め多めに形成しておく等することにより、実用上の問題をなくすことができる。
【００５６】
（３）上記実施形態では、液晶パネル３０はカラー液晶ディスプレイ３６を備えることでカラー画像を表示するようにしたものであるが、これに限るものではない。例えば、液晶パネル３０はモノクロ液晶ディスプレイを備えるものであってもよい。この場合でも、液晶ディスプレイの各画素と液晶マイクロレンズアレイの各レンズ部とが必ずしも１対１で対向している必要はない。
【００５７】
（４）上記実施形態では、選択/プリント指示スイッチ２６の切り換え操作により、通常表示モード、高輝度表示モード及びプリント表示モードの３つの表示モードのうちの何れか１つの表示モードを選択可能に構成したものであるが、これに限るものではない。例えば、通常表示モード及びプリント表示モードの２つの表示モードのうちの何れか１つの表示モードを選択するように構成することもできる。このように、通常表示モード及びプリント表示モードの２つの表示モードのうちの何れか１つの表示モードを選択する場合には、選択/プリント指示スイッチ２６の切り換え操作によらないで実行することもできる。例えば、カメラアダプタ１４の装着が検出スイッチ３４で検出されない場合には通常表示モードとなり、装着が検出された場合にはプリント表示モードとなるようにしてもよい。
【００５８】
（５）上記実施形態では、液晶パネル３０は、カラー液晶ディスプレイ３６と、このカラー液晶ディスプレイ３６に密着固定して配設された液晶マイクロレンズアレイ３８とから構成されたものであるが、これらはそれぞれを予め別体で構成した後に互いに密着させるようにしてもよいし、カラー液晶ディスプレイ３６と液晶マイクロレンズアレイ３８とを最初から一体になるように形成してもよい。
【００５９】
カラー液晶ディスプレイ３６と液晶マイクロレンズアレイ３８とを最初から一体になるように形成する場合、両者の構成部材を互いに兼用して部材点数を削減させることも可能である。例えば、図２に示す実施形態のものでは、カラー液晶ディスプレイ３６の第２のガラス基板４２と、液晶マイクロレンズアレイ３８の第１のガラス基板６８とを第２の偏光板４８で兼用させることができる。すなわち、第２の偏光板４８の図示下面にカラー液晶ディスプレイ３６の第２の電極５２を形成し、第２の偏光板４８の図示上面に液晶マイクロレンズアレイ３８の第１の電極６６を形成するようにすればよい。このようにすることで、カラー液晶ディスプレイ３６と液晶マイクロレンズアレイ３８の生産効率を高めることができると共に、精度や光の拡散性等の特性面での改善も可能となる。
【００６０】
（６）上記実施形態では、本発明に係る画像プリント装置１０が携帯機器であるデジタルカメラ１２とカメラアダプタ１４とで構成されているが、これに限るものではない。例えば、デジタルカメラ１２に代えて携帯機器である携帯電話機を用いることができる。この場合、携帯電話機の液晶表示部をデジタルカメラ１２の液晶表示部２８と実質的に同様に構成すればよい。勿論、デジタルカメラや携帯電話機等の携帯機器に限るものではなく、デスクに備え付けて用いる機器に適用することも可能である。
【００６１】
（７）上記実施形態では、カラー液晶ディスプレイ３６は、偏光板を備えたツイステッド・ネマチック液晶型のものであるが、これに限るものではない。例えば、ネマチック液晶以外の液晶材料を用いたものや偏光板を用いない構造のものを用いることもできる。また、カラー液晶ディスプレイ３６に代えてＥＬ（Electro-Luminescence）素子等の他の表示素子を用いることもできる。
【００６２】
【発明の効果】
以上説明したように、本発明の請求項１乃至請求項７の画像表示装置によれば、画像表示部の表示面に配設されたもので、複数の微小孔がマトリックス状に配列形成されてなる対向電極間に液晶が充填されると共に、対向電極間に供給される駆動電圧を異ならせて当該対向電極間の液晶分子の配向状態を制御することで画像表示部に表示される画像が視認できる状態の表示モード及び画像表示部に表示される画像が写真フィルム面に結像される状態の表示モードを取り得るように構成された液晶マイクロレンズアレイと、画像表示部に表示される画像が視認できる状態の表示モード及び画像表示部に表示される画像が写真フィルム面に結像される状態の表示モードの何れか１の表示モードに設定する切換設定手段と、この切換設定手段により設定された表示モードに応じて液晶マイクロレンズアレイの対向電極間に供給される駆動電圧を異ならせることで当該対向電極間の液晶分子の配向状態を制御する配向制御手段とを備えている。
【００６３】
また、本発明の請求項８の画像プリント装置によれば、請求項１乃至７のいずれかに記載の画像表示装置と、一面開口状のケース内に写真フィルムが収納され、この写真フィルムが画像表示部の表示面に対向するように当該画像表示部に装着されるカメラアダプタとを備えている。
【００６４】
このため、画像表示部に表示される画像が視認できる状態の表示モードに設定されると、画像表示部に表示される画像を液晶マイクロレンズアレイを介して直接視認することができると共に、画像表示部に表示される画像が写真フィルム面に結像される状態の表示モードに設定されると、画像表示部に表示される画像を写真フィルムに直接プリントすることができ、写真フィルムが収納されるカメラアダプタに従来のようなマイクロレンズシートを用いる必要がないことからカメラアダプタの低価格化及び省資源化を促進することができる。
【図面の簡単な説明】
【図１】本発明の一実施形態に係る画像表示装置が適用される画像プリント装置の外観斜視図である。
【図２】図１に示す画像プリント装置に適用される画像表示装置の液晶パネルの主要部分解斜視図である。
【図３】図２に示す液晶パネルにおけるカラー液晶ディスプレイの構成を示す要部断面図である。
【図４】図２に示す液晶パネルにおけるカラー液晶ディスプレイと液晶マイクロレンズアレイとの対応関係を説明するための要部断面図である。
【図５】図２に示す液晶パネルにおける液晶マイクロレンズアレイの動作原理を説明するための図で、（ａ）は駆動電圧を供給していないときの図、（ｂ）は駆動電圧を供給したときの図である。
【図６】図２に示す液晶パネルにおける液晶マイクロレンズアレイの駆動電圧の印加状態に応じて変化する表示モードを示す図で、（ａ）は通常表示モード、（ｂ）は高輝度表示モード、（ｃ）はプリント表示モードを示す図である。
【図７】図１に示す画像プリント装置に用いられるカメラアダプタの側面断面図である。
【図８】図１に示す画像表示装置を構成するデジタルカメラの制御構成を示すブロック図である。
【図９】図１に示す画像プリント装置における写真フィルムへのプリント動作を説明するためのフローチャートである。
【図１０】図２に示す液晶パネルにおけるカラー液晶ディスプレイと液晶マイクロレンズアレイとの別の対応関係を説明するための要部断面図である。
【符号の説明】
１０  画像プリント装置
１２  デジタルカメラ
１４  カメラアダプタ
１６  カメラ本体
１８  撮影レンズ
２６  選択/プリント指示スイッチ（切換設定手段）
２８  液晶表示部
３０  液晶パネル
３４  検出スイッチ（検出手段）
３６  カラー液晶ディスプレイ（画像表示部）
３８  液晶マイクロレンズアレイ
６６  第１の電極（対向電極）
７２  第２の電極（対向電極）
１３４  レンズアレイ制御部（配向制御手段）
【図１】
0003617478.tif 000002
【図２】
0003617478.tif 000003
【図３】
0003617478.tif 000004
【図４】
0003617478.tif 000005
【図５】
0003617478.tif 000006
【図６】
0003617478.tif 000007
【図７】
0003617478.tif 000008
【図８】
0003617478.tif 000009
【図９】
0003617478.tif 000010
【図１０】
0003617478.tif 000011